(57)【要約】【課題】  実装面積を小さくすることが可能となると共に、小さい実装面積であっても絶縁を確実に図ることができる電子部品を提供すること。【解決手段】  コア４０ａ，４０ｂを有すると共に、このコア４０ａ，４０ｂに巻線７０が収納される電子部品３０であり、回路基板３１へ実装すると共に、該回路基板３１に対して平行な平面内における一方向に向かって延伸する状態で配置される複数の第１の実装端子６０を有する。また、回路基板３１へ実装すると共に、該回路基板３１に対して平行な平面内であって一方向に対して傾斜する傾斜方向に向かって延伸する状態で配置される少なくとも１つの第２の実装端子６１と、を有している。【選択図】  図６
2005243867.tif 000002
【特許請求の範囲】
【請求項１】
回路基板に実装される電子部品において、
電子部品本体部と、
上記電子部品本体部から離間する一方向に向かって延伸していると共に、上記回路基板に実装される第１の実装端子と、
上記一方向に対して傾斜する傾斜方向に向かって延伸していると共に、上記回路基板に実装される第２の実装端子と、
を具備することを特徴とする電子部品。
【請求項２】
コアを有すると共に、このコアに巻線が収納される電子部品において、
上記コアおよび上記巻線から離間する一方向に向かって延伸していると共に、上記回路基板に実装される第１の実装端子と、
上記一方向に対して傾斜する傾斜方向に向かって延伸していると共に、上記回路基板に実装される第２の実装端子と、
を具備することを特徴とする電子部品。
【請求項３】
前記傾斜方向は、前記一方向に対して３０度〜６０度の範囲内にある傾斜角度を為していることを特徴とする請求項１又は２記載の電子部品。
【請求項４】
前記第２の実装端子は、矩形状を為す前記コアの四隅に配置されていることを特徴とする請求項２又は３記載の電子部品。
【請求項５】
前記第１の実装端子および前記第２の実装端子は、コイルボビンと一体的に設けられていることを特徴とする請求項１から４のいずれか１項に記載の電子部品。
【請求項６】
前記第１の実装端子および前記第２の実装端子は、前記コイルボビンと一体的な端子台に設けられていることを特徴とする請求項５記載の電子部品。
【請求項７】
前記第１の実装端子は、前記コアの短手方向に沿って延伸する状態で配置されていることを特徴とする請求項２から６のいずれか１項に記載の電子部品。
【請求項８】
請求項１から７のいずれか１項に記載の電子部品を用いたことを特徴とするインダクタ。
【請求項９】
請求項１から７のいずれか１項に記載の電子部品を用いたことを特徴とするフィルタ。
【請求項１０】
請求項１から７のいずれか１項に記載の電子部品を用いたことを特徴とするトランス。
【請求項１１】
コアを有すると共に、このコアに巻線が収納される電子部品において、
上記コアおよび上記巻線から離間する一方向に向かって延伸していると共に、上記回路基板に実装される第１の実装端子と、
上記回路基板へ実装されると共に、上記回路基板への実装部分を支点とする上記第１の実装端子の回転を抑制する回転抑制手段と、
を具備することを特徴とする電子部品。
【発明の詳細な説明】
【技術分野】
【０００１】
本発明は、例えば携帯電話機器、車載用機器等に用いられる電子部品およびこの電子部品を用いたインダクタ、フィルタおよびトランスに関する。
【背景技術】
【０００２】
従来より、巻線を巻回するコイルボビンにベースが一体的に形成され、このベースに接続端子が取り付けられているトランス、フィルタ等の電子部品が種々存在する。この例としては、特許文献１に示すリーケージトランスがある。このリーケージトランスは、巻線を巻回するコイルボビンおよび端子台を具備し、この端子台から、当該リーケージトランスの短手方向に沿って端子が突出している。
【０００３】
【特許文献１】特開２００２−２９９１３４号公報（図１および図２参照）
【発明の開示】
【発明が解決しようとする課題】
【０００４】
ところで、上述の電子部品は、例えば車載用機器、携帯電話機器等のような、振動が多く発生する環境下で用いられる場合がある。このような環境下では、当該電子部品は、耐振動性能が高いことが要求される。ところが、現状の電子部品を用いる場合、かかる振動が多く発生する環境下において、回路基板と（半田付け等）端子との間の接続部分が、剥がれることがある。
【０００５】
これを、上述の特許文献１のリーケージトランスを用いて説明する。このリーケージトランスでは、端子が延伸している方向である、当該リーケージトランスの短手方向に向かう振動に対しては、強い耐振動性能を備えると共に、リーケージトランスの長手方向に向かう振動に対しては、弱い耐振動性能しか備えていないことが、経験上判明している。このため、車載用機器、携帯電話機器のように、種々の方向に向かう振動が負荷され続け、しかもその振動が長期間に亘って負荷される環境下では、実装されている電子部品が剥がれる危険性がある。
【０００６】
そこで、長期間に亘って電子機器を使用しても、実装されている電子部品が剥がれず、該電子部品が用いられる電子機器の長寿命化を図ることが望まれている。
【０００７】
本発明は上記の事情にもとづきなされたもので、その目的とするところは、振動に強い状態で回路基板に実装される電子部品およびこの電子部品を用いたインダクタ、フィルタおよびトランスを提供しよう、とするものである。
【課題を解決するための手段】
【０００８】
上記課題を解決するために、本発明は、回路基板に実装される電子部品において、電子部品本体部と、電子部品本体部から離間する一方向に向かって延伸していると共に、回路基板に実装される第１の実装端子と、一方向に対して傾斜する傾斜方向に向かって延伸していると共に、回路基板に実装される第２の実装端子と、を具備するものである。
【０００９】
このように構成した場合には、第１の実装端子に対して第２の実装端子が傾斜した状態で配置される。このため、従来のように、第１の実装端子のみを具備する場合には、一方向に向かう力に対しては強度が大きく、当該一方向に対して垂直な向きに向かう力に対しては強度が小さい状態であったものの、第２の実装端子の存在によって、当該一方向に垂直な方向に向かう力に対しても強度が大きくなる。
【００１０】
すなわち、第２の実装端子の存在により、一方向に垂直な方向に向かう力をも良好に受け止めることができる。このため、例えば車載用機器、携帯電話機器といった振動が多く発生する環境下で、電子部品が用いられる場合でも、第１の実装端子又は第２の実装端子が回路基板から剥がれて、接触不良となるのを防ぐことができる。そのため、電子部品が適用される電子機器を長期間に亘って用いることができ、製品を長寿命化させることが可能となる。
【００１１】
また、他の発明は、コアを有すると共に、このコアに巻線が収納される電子部品において、コアおよび巻線から離間する一方向に向かって延伸していると共に、回路基板に実装される第１の実装端子と、一方向に対して傾斜する傾斜方向に向かって延伸していると共に、回路基板に実装される第２の実装端子と、を具備するものである。
【００１２】
このように構成した場合には、第１の実装端子に対して、第２の実装端子が傾斜した状態で配置される。このため、従来のように、第１の実装端子のみを具備する場合には、一方向に向かう力に対しては強度が大きく、当該一方向に対して垂直な向きに向かう力に対しては強度が小さかったものの、第２の実装端子の存在によって、当該一方向に垂直な方向に向かう力に対しても強度が大きくなる。
【００１３】
すなわち、第２の実装端子の存在により、一方向に垂直な方向に向かう力をも良好に受け止めることができる。このため、例えば車載用機器、携帯電話機器といった振動が多く発生する環境下で、電子部品が用いられる場合でも、第１の実装端子又は第２の実装端子が回路基板から剥がれて、接触不良となるのを防ぐことができる。そのため、電子部品が適用される電子機器を長期間に亘って用いることができ、製品を長寿命化させることが可能となる。
【００１４】
さらに、他の発明は、上述の発明に加えて更に、傾斜方向は、一方向に対して３０度〜６０度の範囲内にある傾斜角度を為しているものである。このように構成した場合には、第２の実装端子は、第１の実装端子に対して、実効的な傾斜状態となる。このため、第２の実装端子によって、一方向に垂直な方向に向かう力を確実に受け止めることができる。
【００１５】
また、他の発明は、上述の各発明に加えて更に、第２の実装端子は、矩形状を為すコアの四隅に配置されているものである。このように構成した場合には、矩形状を為すコアの四隅に第２の実装端子が配置されるので、当該四隅において、一方向に垂直な方向に向かう力を確実に受け止めることができる。すなわち、コアの四隅に第２の実装端子が設けられる場合には、電子部品に対して、種々の方向に向かう力が付与される場合でも、それらの力を良好に受け止めることが可能となる。また、電子部品に付与される力を、コアの四隅に配置される第２の実装端子によって、均等に受け止めることが可能となり、耐振動性能を一層高めることができる。
【００１６】
さらに、他の発明は、上述の各発明に加えて更に、第１の実装端子および第２の実装端子は、コイルボビンと一体的に設けられているものである。このように構成した場合には、コイルボビンに巻回される巻線を、第１の実装端子又は第２の実装端子に絡げさせることができる。そして、これら第１の実装端子又は第２の実装端子を回路基板に実装させることにより、当該巻線に電流を導通させ、電磁誘導を行うことが可能となる。
【００１７】
また、他の発明は、上述の発明に加えて更に、第１の実装端子および第２の実装端子は、コイルボビンと一体的な端子台に設けられているものである。このように構成した場合には、端子台を介して第１の実装端子と第２の実装端子とが一体的に設けられる。そのため、端子台が存在しない場合と比較して、コイルボビンの巻枠部に巻回される巻線との間との距離を稼ぐことができる。それにより、第１の実装端子および第２の実装端子と、巻線との間で絶縁を図ることができる。
【００１８】
さらに、他の発明は、上述の各発明に加えて更に、第１の実装端子は、コアの短手方向に沿って延伸する状態で配置されるものである。このように構成した場合には、第１の実装端子がコアの短手方向に沿って配置されるため、第２の実装端子は、コアの短手方向に対して傾斜した状態で配置される。そのため、慣性力の大きなコアの長手方向に向かう力を、第２の実装端子によって良好に受け止めることができる。それにより、例えば車載用機器、携帯電話機器といった振動が多く発生する環境下で、電子部品が用いられる場合でも、第１の実装端子又は第２の実装端子が回路基板から剥がれて、接触不良となるのを防ぐことができ、電子部品が適用される電子機器を長期間に亘って用いることができ、製品を長寿命化させることが可能となる。また、コアの長手方向に沿って、第１の実装端子を配置する個数を多くすることができる。
【００１９】
また、他の発明は、上述の電子部品の各発明を、インダクタに適用したものである。このように構成した場合には、例えば車載用機器、携帯電話機器といった振動が多く発生する環境下で用いられる電子機器においても、当該インダクタの第１の実装端子又は第２の実装端子が剥がれて、接触不良が生じるのを防ぐことができる。そのため、インダクタが使用されている電子部品を長期間に亘って用いることができ、製品の長寿命化を図ることができる。
【００２０】
さらに、他の発明は、上述の電子部品の各発明を、フィルタに適用したものである。このように構成した場合には、例えば車載用機器、携帯電話機器といった振動が多く発生する環境下で用いられる電子機器においても、当該フィルタの第１の実装端子又は第２の実装端子が剥がれて、接触不良が生じるのを防ぐことができる。そのため、フィルタが使用されている電子部品を長期間に亘って用いることができ、製品の長寿命化を図ることができる。
【００２１】
また、他の発明は、上述の電子部品の各発明を、トランスに適用したものである。このように構成した場合には、例えば車載用機器、携帯電話機器といった振動が多く発生する環境下で用いられる電子機器においても、当該トランスの第１の実装端子又は第２の実装端子が剥がれて、接触不良が生じるのを防ぐことができる。そのため、トランスが使用されている電子部品を長期間に亘って用いることができ、製品の長寿命化を図ることができる。
【００２２】
さらに、他の発明は、コアを有すると共に、このコアに巻線が収納される電子部品において、コアおよび巻線から離間する一方向に向かって延伸していると共に、回路基板に実装される第１の実装端子と、回路基板へ実装されると共に、回路基板への実装部分を支点とする第１の実装端子の回転を抑制する回転抑制手段と、を具備するものである。
【００２３】
このように構成した場合には、回転抑制手段の存在により、第１の実装端子の実装部分を支点とする回転を抑制することができる。すなわち、電子部品に振動が生じた際に、この支点に対して作用するモーメントを、回転抑制手段で受け止めることができる。それにより、この支点に大きな力が作用するのを防ぐことができる。
【発明の効果】
【００２４】
本発明によると、振動に強い状態で、電子部品を回路基板に実装させることができる。
【発明を実施するための最良の形態】
【００２５】
（第１の実施の形態）
以下、本発明の第１の実施の形態に係る電子部品について、図１から図３に基づいて説明する。図１は、矩形状の電子部品に対して、第１および第２の実装端子が外方に向かって突出している状態を示す平面図であり、第１および第２の実装端子が合計１０本突出している状態を示す図である。
【００２６】
図１に示す電子部品１０は、電子部品本体部１１を具備している。また、電子部品１０には、合計６本の第１の実装端子１２と合計４本の第２の実装端子１３が設けられている。これら第１の実装端子１２および第２の実装端子１３は、回路基板（第１の実施の形態においては不図示）に実装される。また、第１の実装端子１２および第２の実装端子１３は、回路基板側に向かって延出していて、該第１の実装端子１２および第２の実装端子１３の先端側は、電子部品本体部１１よりも回路基板側に位置している。そのため、第１の実装端子１２および第２の実装端子１３が回路基板に実装された状態においては、電子部品本体部１１と回路基板との間に隙間が存在している。
【００２７】
なお、以下の説明においては、特に断りがない限り、上方側とは、回路基板の法線方向に沿って離間する側を指し、下方側とは、回路基板の法線方向に沿って該回路基板に向かう側を指すものとする。
【００２８】
また、第１の実装端子１２は、電子部品本体部１１の長手方向（Ｘ方向）に沿う側面１１ａ，１１ｂから、略均等な間隔で片側３本ずつ合計６本延出している。また、第１の実装端子１２は、その長手が短手方向（Ｙ方向）に沿う状態で延伸している。
【００２９】
また、第２の実装端子１３は、回転抑制手段としても機能する。この第２の実装端子１３は、電子部品本体部１１の隅角部１１ｃ（図１においては、電子部品本体部１１が略矩形状であるため、該電子部品本体部１１の四隅に相当する部分）から延出している。第２の実装端子１３は、図１においては、第１の実装端子１２の長手方向に対して、所定の角度α（以後、傾斜角度αという）を為すように設けられている。この傾斜角度αは、本実施の形態では、４５度となっている。しかしながら、傾斜角度αは、４５度には限られず、適宜の傾斜角度に設定することができる。
【００３０】
かかる傾斜角度αは、電子部品１０の耐振動性能を向上させる角度であれば、どのような角度範囲であっても良い。この傾斜角度αの好適な範囲としては、例えば３０〜６０度の範囲とすることが挙げられる。すなわち、傾斜角度αが、３０〜６０度の範囲であれば、第２の実装端子１３は、良好な耐振動性能を発揮する。
【００３１】
以上のような構成を有する電子部品１０の強度に関して、従来の場合と比較して、図２および図３に基づき説明する。図２および図３は、第１の実装端子１２および第２の実装端子１３の先端側が回路基板に実装された状態において、それぞれＸ方向又はＹ方向に向かって移動が生じた状態を示す、部分的な模式図である。なお、第１の実装端子１２および第２の実装端子１３の先端側のみならず、その中途部分も回路基板に半田付け等により接続された場合、一層強度が強くなるが、この図２および図３においては、説明の関係上、第１の実装端子１２および第２の実装端子１３の先端側のみが半田付けされているものとする。
【００３２】
図２において、力Ｆｘにより電子部品本体部１１が移動し、第１の実装端子１２が微小角度Ａだけ回転して破線に示す状態となる場合、当該第１の実装端子１２の当初の長さＰ０と、回転後の第１の実装端子１２の長さＰ１との間では、Ａが微小角度ゆえほとんど変わらず、等しい状態となっている。すなわち、ひずみ量が非常に小さい状態となっている。このため、フックの法則により、第１の実装端子１２に作用する軸力（図示省略）は、非常に小さい。
【００３３】
一方、微小角度Ａの回転に対応するモーメントＭが、当該第１の実装端子１２と回路基板との間の半田の接続部分に作用する。かかるモーメントＭの作用により、半田の接続部分に該モーメントＭに対応するラジアル方向のせん断応力が付与される。この場合、第１の実装端子１２と回路基板との間の半田の接続部分には、モーメントＭと、上述のＦｘとが同時に作用する。また、接続部分の長さが短いことより、てこの原理を考慮すれば、第１の実装端子１２の付け根部分に作用するＦｘよりも、はるかに大きな力が作用する。そのため、当該接続部分は、モーメントＭの存在により、力Ｆｘが直接この接続部分に作用するよりも、剥がれ易い状態となる。
【００３４】
なお、力が作用し始める端部側の第１の実装端子１２が、大きな力を受け止める状態となり、この部分から第１の実装端子１２が回路基板から剥がれ易くなっている。
【００３５】
しかしながら、第２の実装端子１３が存在する場合、当該第２の実装端子１３が回転抑制手段として機能し、この剥がれを抑えることができる。すなわち、図２に示すように、力Ｆｘの作用によって第２の実装端子１３が移動して破線に示す状態となる場合、当該第２の実装端子１３の当初の長さＱ０と、移動後の第２の実装端子１３の長さＱ１とでは、移動に応じて長さが変化する。かかる長さの変化は、図２に示すように、Ｐ０とＰ１との間の差に比べてはるかに大きく（ひずみ量が大きく）、無視できない。それにより、第２の実装端子１３には、第１の実装端子１２に作用する軸力よりも、はるかに大きな軸力が作用し、かかる第２の実装端子１３に作用する軸力が、力Ｆｘにより引き起こされる振動（回転）を抑制する抗力となる。
【００３６】
なお、図３に示すように、第１の実装端子１２に対してＹ方向に力Ｆｙが作用する場合、当該第１の実装端子１２の当初の長さＰ０と移動後の第１の実装端子１２の長さＰ２との間における変位量は、上述のＰ０とＰ１との間の変位量に比べて大きい。そのため、第１の実装端子１２には、図２に示すような、Ｆｘが作用する場合よりもはるかに大きな軸力が作用する。また、第１の実装端子１２と回路基板との間の半田の接続部分には、力Ｆｙがそのまま作用し、てこの原理により増幅されることがない。そのため、かかる第１の実装端子１２に作用する軸力が、力Ｆｙにより引き起こされる振動を抑制する抗力となる。
【００３７】
すなわち、第２の実装端子１３の存在により、電子部品１０は、Ｘ方向に作用する力Ｆｘ、およびＹ方向に作用する力Ｆｙのいずれに対しても、十分な耐振動性能を備える構成となる。そのため、ＸＹ平面内で作用する、どのような平面応力に対しても、電子部品１０は、十分な耐振動性能を備える状態となる。
【００３８】
なお、図１〜図３で説明した電子部品１０の変形例について、図４に示す。この図４に示される電子部品２０においては、第１の実装端子２２は、電子部品本体部２１の短手方向（Ｙ方向）に沿う側面２１ａ，２１ｂから、略均等な間隔でそれぞれ（片側）１本ずつ合計２本延出している。また、第１の実装端子２２は、その長手が電子部品本体部２１の長手方向（Ｘ方向）に沿う状態で延伸している。
【００３９】
また、第２の実装端子２３は、上述の第２の実装端子１３と同様に、第１の実装端子２２の長手方向に対して、所定の角度α（以後、傾斜角度αという）を為すように設けられている。なお、傾斜角度αは、上述の電子部品１０と同様に、４５度となっているが、傾斜角度αは、４５度には限られず、適宜の傾斜角度に設定することができる。
【００４０】
このような構成の電子部品１０，２０によれば、第２の実装端子１３，２３の存在により、振動に対して十分な抗力を備えさせることができる。また、図２および図３に示すＸＹ方向に対して垂直な方向である、Ｚ方向（図示省略）については、半田による接続部分に対して、回路基板の接離方向に向かう引っ張り力が主として作用する。ここで、一般に半田による接続部分は、引っ張り方向に関しては、十分な耐久性能を有しているため、特に半田付けの剥離等の問題が生じない。
【００４１】
かかるＺ方向と、上述したＸＹ平面内における力との組合せとを考慮すると、本実施の形態における電子部品１０は、ＸＹＺ空間内におけるいずれの方向に向かう力に対しても、十分な耐振動性能を奏させることができる。
【００４２】
また、第２の実装端子１３，２３の存在により、Ｙ方向に向かう力のみならず、Ｘ方向に向かう力をも良好に受け止めることができるため、例えば車載用機器、携帯電話機器といった電子機器のように、振動が多く発生する環境下で電子部品１０が用いられる場合でも、第１の実装端子１２，２２が剥がれて接触不良となるのを防ぐことができる。そのため、電子部品１０が使用されている電子機器を長期間に亘って用いても、接触不良が生じるのを防止でき、製品を長寿命化させることが可能となる。
【００４３】
また、第２の実装端子１３，２３が、第１の実装端子１２，２２に対して傾斜して設けられていて、しかもその傾斜角度が略４５度となっている。このため、第２の実装端子１３，２３は、Ｘ方向およびＹ方向に向かう荷重を一層確実に受け止めることができる。
【００４４】
なお、第２の実装端子１３，２３が、第１の実装端子１２，２２に対して、夫々３０度〜６０度の範囲内にある傾斜角度を為す場合、第２の実装端子１３，２３は、実効的な傾斜状態となる。このため、電子部品１０は、Ｘ方向に向かう力およびＹ方向に向かう力のいずれをも、確実に受け止めることができる。
【００４５】
また、回路基板からの剥がれが最も生じ易い箇所である電子部品本体部１１の隅角部１１ｃ，２１ｃに、第２の実装端子１３，２３が配置されている。このため、該回路基板からの剥がれを良好に防止することが可能となる。
【００４６】
また、本実施の形態では、電子部品本体部１１の四隅に、第２の実装端子１３，２３が配置されている。このため、電子部品１０に対してＸ方向およびＹ方向に向かう力が付与される場合、第２の実装端子１３，２３で、均等に受け止めることができる。そのため、４つの第２の実装端子１３，２３で力を均等に分散させることができ、電子部品１０が回路基板に実装されている状態を、一層確実に維持することが可能となる。
【００４７】
（第２の実施の形態）
以下、本発明の第１の実施の形態に係る、電子部品としてのフィルタについて、図５から図７に基づいて説明する。図５は、フィルタ３０の全体構成を示す斜視図である。また、図６は、フィルタ３０の構成を示す分解斜視図である。さらに、図７は、フィルタ３０を底面側から見た状態を示す平面図である。
【００４８】
本実施の形態におけるフィルタ３０は、図６に示すように、第１コア４０ａと、第２コア４０ｂと、コイルボビン５０と、を主要な構成要素としている。第１コア４０ａと第２コア４０ｂは、磁性材から構成されている。当該磁性材の一例として、ニッケル系のフェライトコアが挙げられる。かかる材質から第１コア４０ａと第２コア４０ｂとが構成される場合、他のコイルボビン５０等と比較して、その重量が大きい。なお、第１コア４０ａと第２コア４０ｂの材質はフェライトコアには限られず、パーマロイ等、他の磁性材であっても良い。
【００４９】
また、コイルボビン５０は、例えば樹脂等の絶縁のある材質から構成されている。さらに、本実施の形態では、第１コア４０ａと第２コア４０ｂとは、同一の形状となっている。
【００５０】
図５に示すように、第１コア４０ａと第２コア４０ｂは、それぞれコアの一部を構成する要素であり、その平面形状が略矩形となる直方体形状に形成されている。また、第１コア４０ａ、第２コア４０ｂ、後述するコイルボビン５０および巻線７０は、上述の第１の実施の形態における電子部品本体部１１，２１に相当する。これら第１コア４０ａおよび第２コア４０ｂには、図６に示すように、所定の厚さの底壁４１が設けられている。底壁４１は、図６においては、上下方向に沿って配置されている。この底壁４１には、側壁４２〜４４および柱脚部４５が立設された状態に設けられている。
【００５１】
本実施の形態では、側壁４２〜４４は、３つ設けられていて、しかも全ての側壁４２〜４４が柱脚部４５と同じ向きに向かって突出している。すなわち、第１コア４０ａおよび第２コア４０ｂには、直方体のうち、底壁４１または側壁４２〜４４が設けられていない開放部分が２つ存在する。そのうちの１つは、底壁４１と対向する上壁側の開放部分４６ａであり、他の１つは、図５および図６において下方側の、側壁４２〜４４が存在しない開放部分４６ｂである。そして、第１コア４０ａおよび第２コア４０ｂは、後述するコイルボビン５０を組み込んだ状態で、開放部分４６ａ同士が互いに突き合わされる。また、第１コア４０ａおよび第２コア４０ｂの開放している下方側から、後述する第１の端子台５３ａおよび第２の端子台５３ｂが、回路基板３１（図５参照）側に向かって突出する。
【００５２】
図６に示すように、底壁４１には、その法線方向に沿うように柱脚部４５が立設されている。柱脚部４５は、その外観が略円柱形状となっていて、底壁４１から離間する方向に向かい、上述した側壁４２〜４４と略同一の高さ位置まで突出している。この柱脚部４５は、上述の底壁４１と一体的に設けられている。
【００５３】
なお、上述した底壁４１、側壁４２〜４４および柱脚部４５により囲まれる部分を、凹陥部４７と呼ぶ。この凹陥部４７には、後述するコイルボビン５０が嵌め込まれる。また、図６に示すように、凹陥部４７は、底壁４１、側壁４２〜４４および柱脚部４５で囲まれることにより、その外観が略Ｕ字形状となるように形成されている。
【００５４】
また、コイルボビン５０は、図６に示すように、巻線７０を巻回する巻線部５１と、この巻線部５１と一体的に設けられている鍔部５２と、同じく一体的に設けられている第１の端子台５３ａおよび第２の端子台５３ｂとを有している。
【００５５】
巻線部５１は、略円筒状に設けられていて、この巻線部５１の略円筒の軸線方向の両端部分には、鍔部５２が設けられている。すなわち、鍔部５２の存在により、コイルボビン５０において巻線７０の巻回部位が定められている。また、鍔部５２は、その外観が略Ｕ字形状に設けられていて、上述した凹陥部４７の外観形状に対応している。また、巻線部５１を貫通するように、貫通孔５４が設けられていて、当該貫通孔５４には、柱脚部４５が挿入される。
【００５６】
また、コイルボビン５０には、鍔部５２と一体的となるように、第１の端子台５３ａおよび第２の端子台５３ｂが設けられている。第１の端子台５３ａおよび第２の端子台５３ｂは、鍔部５２が為すＵ字の上部（図６においては、逆Ｕ字形状となっているため、鍔部５２の下部）に取り付けられていて、しかも巻線部５１に差し掛からないように、鍔部５２の非対向面側（すなわち、第１の端子台５３ａと第２の端子台５３ｂとが互いに遠ざかる側）に向かって突出している。また、第１の端子台５３ａには第１コア４０ａが、第２の端子台５３ｂには第２コア４０ｂが、夫々載置される。
【００５７】
第１の端子台５３ａおよび第２の端子台５３ｂには、それぞれ４本の絡げ端子５５が設けられている。これらの絡げ端子５５は、略直線状に突出していて、その先端部分の高さ位置は、後述する第１の実装端子６０および第２の実装端子６１とは、異なる状態となっている。すなわち、絡げ端子５５は、実装される回路基板３１（図５参照）から所定距離だけ離間すると共に平行となるように設けられていて、その先端側が第１の実装端子６０および第２の実装端子６１の先端側よりも高くなっている。また、絡げ端子５５のうち３本は、第１の端子台５３ａおよび第２の端子台５３ｂの長手に沿う側面５６から、該側面５６に対して垂直を為す状態で突出している。また、絡げ端子５５のうち残りの１本は、第１の端子台５３ａおよび第２の端子台５３ｂの短手に沿う側面５７から、該側面５７に対して垂直を為す状態で突出している。
【００５８】
なお、第１の端子台５３ａおよび第２の端子台５３ｂのうち、絡げ端子５５の付け根の部分は、後述する第１の実装端子６０および第２の実装端子６１の付け根部分よりも、巻線部５１から離間する側（図６において、第１コア４０ａおよび第２コア４０ｂ側）に向かって突出している。
【００５９】
これらの絡げ端子５５には、巻線部５１に巻回される巻線７０の一端側または他端側が絡げられる。なお、巻線部５１に巻回される巻線７０は１本（１巻き）のみでも良いし、例えば巻線部５１に隔壁板を取り付けて巻線部５１を２つに分離することによって２本（２巻き）としても良い。
【００６０】
また、第１の実装端子６０は、本実施の形態では、第１の端子台５３ａおよび第２の端子台５３ｂの夫々に、２本ずつ設けられている。同じく、第２の実装端子６１も、第１の端子台５３ａおよび第２の端子台５３ｂの夫々に、２本ずつ設けられている。ここで、第１の実装端子５３ａおよび第２の実装端子５３ｂは、その付け根部分が、上述した絡げ端子５５の付け根部分よりも巻線部５１に近接する側に位置している。また、第１の実装端子６０および第２の実装端子６１は、この付け根部分から下方（回路基板３１側）に向かって延伸する下方突出部６０ａ，６１ａを有している。
【００６１】
さらに、第１の実装端子６０および第２の実装端子６１は、下方突出部６０ａ，６１ａから回路基板３１に対して略水平となる面実装部６０ｂ，６１ｂを有している。面実装部６０ｂ，６１ｂは、その先端側が、巻線部５１から離間する側に向かって突出している。なお、回路基板３１に対して第１の実装端子６０および第２の実装端子６１を半田付けする場合、主として面実装部６０ｂ，６１ｂが半田槽に浸される。この場合、回路基板３１側にも、半田が塗布された状態で接合させるようにしても良い。
【００６２】
また、回転抑制手段としても機能する第２の実装端子６１は、第１の端子台５３ａおよび第２の端子台５３ｂの長手のうち、最も隅角部５８に近接して配置されている。ここで、第２の実装端子６１の面実装部６１ｂは、上述した第１の実装端子６０の面実装部６０ｂに対して、所定の角度α（以後、傾斜角度αという）を為すように設けられている。この傾斜角度αは、本実施の形態では、４５度となっている。しかしながら、傾斜角度αは、４５度には限られず、適宜の傾斜角度に設定することができる。
【００６３】
なお、傾斜角度αは、上述の第１の実施の形態で述べたのと同様に、フィルタ３０の耐振動性能を向上させる角度であれば、どのような角度範囲であっても良い。かかる傾斜角度αの好ましい範囲としては、例えば３０〜６０度の範囲が挙げられ、かかる範囲内であれば、面実装部６１ｂを中心として実装される第２の実装端子６１は、良好な耐振動性能を発揮する。
【００６４】
このような構成のフィルタ３０においては、第１の実装端子６０（面実装部６０ｂ）に対して、第２の実装端子６１（面実装部６１ｂ）が傾斜した状態で配置される。このため、従来のように、第１の実装端子６０のみを具備する場合には、一方向（本実施の形態では、図７におけるＹ方向）に向かう力に対しては強く、当該一方向に対して垂直な向に向かう力（本実施の形態では、図７におけるＸ方向）に対しては比較的弱かったものの、第２の実装端子６１の存在によって、当該一方向に垂直な方向（Ｘ方向）に向かう力に対しても強度が強くなる。なお、かかる強度に関しては、上述の図２および図３に基づいて説明した通りである。
【００６５】
すなわち、第２の実装端子６１の存在により、本実施の形態のフィルタ３０は、Ｘ方向に作用する力、およびＹ方向に作用する力のいずれに対しても、十分な耐振動性能を備える構成となる。そのため、ＸＹ平面内で作用する、どのような平面応力に対しても、フィルタ３０は、十分な耐振動性能を備える状態となる。
【００６６】
また、図７に示すＸＹ方向に対して垂直な方向である、Ｚ方向（図示省略）については、半田による接続部分に対して、回路基板３１の接離方向に向かう引っ張り力が主として作用する。このため、Ｚ方向に向かう力の作用のみでは、特に半田付けの剥離等の問題が生じない。かかるＺ方向と、上述したＸＹ平面内における力との組合せとを考慮すると、本実施の形態におけるフィルタ３０は、ＸＹＺ空間内におけるいずれの方向に向かう力に対しても、十分な耐振動性能を奏させることができる。
【００６７】
ところで、本実施の形態のフィルタ３０は、図５に示すように、回路基板３１（面実装部６０ｂ，６１ｂ）から離間する、高さ方向の寸法が大きくなっている。ここで、従来の高さ方向の寸法の大きなフィルタに振動が与えられると、回路基板３１との間の接続部分には、より大きなモーメントが生じ、該モーメントにより回路基板３１との間の接続部分に、より大きなＸ方向の分力が生じる。そのため、従来の高さ方向の寸法の大きなフィルタでは、剥がれが生じ易くなっている。
【００６８】
しかしながら、本実施の形態のフィルタ３０のように、第２の実装端子６１を備える構成では、ＸＹ方向に作用する力のいずれに対しても、十分な耐振動性能を備える構成となっている。このため、かかるＸＹ方向に上述のＺ方向が加えられた、３次元方向の力が作用する場合でも、十分な耐振動性能を備えさせることができる。すなわち、高さ方向の寸法の大きなフィルタ３０においても、十分な耐振動性能を奏させることができる。
【００６９】
そのため、フィルタ３０が使用される種々の電子機器を長期間に亘って使用した場合でも、接触不良が生じるのを防止して、製品寿命を長くすることができる。
【００７０】
また、本実施の形態では、第１の実装端子６１は、第１の実装端子６０に対して傾斜して設けられており、しかもその傾斜角度は略４５度となっている。このため、第２の実装端子６１は、Ｘ方向およびＹ方向に向かう荷重を確実に受け止めることができ、しかも第２の実装端子６１は、Ｘ方向およびＹ方向において同等の強度を有している。
【００７１】
なお、第２の実装端子６１が、第１の実装端子６０に対して、夫々３０度〜６０度の範囲内にある傾斜角度を為す場合、第２の実装端子６１は、第１の実装端子６０に対して、実効的な傾斜状態となる。このため、フィルタ３０は、Ｘ方向に向かう力およびＹ方向に向かうちからのいずれをも、確実に受け止めることができる。
【００７２】
また、本実施の形態では、回路基板３１からの剥がれが最も生じ易い箇所である隅角部５８に、第２の実装端子６１が配置されている。このため、回路基板３１からの剥がれを良好に防止することが可能となる。また、隅角部５８において第２の実装端子６１と回路基板３１との間の剥がれを防止することにより、フィルタ３０が回路基板３１に実装されている状態を確実に維持することが可能となる。
【００７３】
ここで、フィルタ３０に対してＸ方向に向かう力が付与された状態において、該Ｘ方向の力を、面実装部６１ｂの長手方向に向かう分力と、Ｙ方向に向かう分力とに分解して考慮する。すると、本実施の形態では、フィルタ３０の四隅に第２の実装端子６１が配置されていることから、Ｙ方向に向かう分力は、互いに打ち消し合うことができる。これと共に、面実装部６１ｂの長手方向に向かう力を均等に受け止めることができる。そのため、フィルタ３０が回路基板３１に実装されている状態を、一層確実に維持することが可能となる。
【００７４】
以上、本発明の第１および第２の実施の形態について説明したが、本発明はこれ以外にも種々変形可能である。以下、それについて説明する。
【００７５】
上述の第２の実施の形態では、電子部品１０としてフィルタ３０を用いる場合について説明している。しかしながら、第２の実装端子６１は、フィルタ３０に限られず、種々の電子部品１０に設けることが可能である。かかる電子部品１０のうち、その代表例としては、インダクタ、トランスが挙げられる。これらインダクタ、トランスは、質量の大きなコアおよび巻線を具備するが、かかるコア、巻線を具備する構成であれば、どのような電子部品１０であっても良い。また、コアおよび巻線を具備しない電子部品１０に、第２の実装端子を設けるようにしても良い。
【００７６】
また、第１の実装端子６０が電子部品１０の長手方向に対して所定の傾斜角度を為すと共に、第２の実装端子６１が、当該第１の実装端子６０に対して上述の第２の実施の形態のような傾斜角度（傾斜角度α）を為すように構成しても良い。なお、傾斜角度αの好適な範囲として、３０〜６０度を挙げているが、該角度範囲はこれには限られず、例えば２０〜９０度であっても良い。
【００７７】
また、上述の第２の実施の形態では、質量の大きなコア（第１コア４０ａ，第２コア４０ｂ）を具備し、かつ高さ方向の寸法が大きく慣性力の影響の生じ易いフィルタ３０に、第２の実装端子６１が設けられている場合について説明している。しかしながら、電子部品１０としてのフィルタ３０は、高さ方向の寸法の大きな場合には限られず、高さ方向の小さい電子部品に第２の実装端子を設ける用にしても良い。
【００７８】
また、第１の実装端子および第２の実装端子としては、上述の第２の実施の形態で述べた第１の実装端子６０および第２の実装端子６１には限られない。第１の実装端子としては、例えばその平面形状が曲線状等、種々の形状の端子を用いることが可能である。また、第２の実装端子にも、例えばその平面形状が曲線状等、種々の形状の端子を用いることが可能であるが、当該端子の付け根の部分と先端の部分とが、第１の実装端子に対して、上述の所定の傾斜角度（傾斜角度α）を為す必要がある。
【００７９】
また、上述の各実施の形態では、第２の実装端子６１が、電子部品１０（フィルタ３０）の四隅に配置される構成について説明している。しかしながら、第２の実装端子６１は、必ずしも電子部品１０（フィルタ３０）の四隅に配置される必要はない。例えば、第２の実装端子６１を第１の端子台５３ａのみに配置しても良く、逆に第２の実装端子６１を第２の端子台５３ｂ側に配置しても良い。また、第２の実装端子６１を、電子部品１０（フィルタ３０）の対角線方向に配置しても良く、さらに任意の一箇所、三箇所等に配置するようにしても良い。また、第１の端子台５３ａおよび第２の端子台５３ｂのような端子台が複数個設けられている場合には、当該複数個の端子台の夫々の隅角部に、第２の実装端子６１を設けるようにしても良い。
【００８０】
さらに、上述の第２の実施の形態では、第１の実装端子６０および第２の実装端子６１が、コイルボビン５０と一体的に設けられている場合について説明している。しかしながら、第１の実装端子６０および第２の実装端子６１は、コイルボビン５０と一体的に設けられる必要はなく、第１の実装端子６０および第２の実装端子６１と、コイルボビン５０とが別体的に設けられる構成であっても良い。
【産業上の利用可能性】
【００８１】
本発明の電子部品は、携帯電話装置および車載用機器等の、振動が多く発生する環境下で用いられる電子機器に実装させて、利用することができる。
【図面の簡単な説明】
【００８２】
【図１】本発明の第１の実施の形態に係る電子部品の構成を示す平面図である。
【図２】図１の電子部品において、Ｘ方向に向かって移動が生じた状態を示す模式図であり、部分拡大図である。
【図３】図１の電子部品において、Ｙ方向に向かって移動が生じた状態を示す模式図であり、部分拡大図である。
【図４】図１の電子部品の変形例であり、電子部品本体部の短手方向に沿う側面から第１の実装端子が延出している電子部品の構成を示す平面図である。
【図５】本発明の第２の実施の形態に係るフィルタの構成を示す斜視図である。
【図６】図５のフィルタの構成を示す分解斜視図である。
【図７】図５のフィルタの構成を示す底面図である。
【符号の説明】
【００８３】
１０，２０…電子部品
１１，２１…電子部品本体部
１２，２２…第１の実装端子
１３，２３…第２の実装端子
３０…フィルタ（電子部品の一例）
４０ａ…第１コア（コアの一部）
４０ｂ…第２コア（コアの一部）
４１…底壁
４２〜４４…側壁
４５…柱脚部
４７…凹陥部
５０…コイルボビン
５１…巻線部
５２…鍔部
５３ａ…第１の端子台
５３ｂ…第２の端子台
５５…絡げ端子
５８…隅角部
６０…第１の実装端子
６１…第２の実装端子（回転抑制手段に対応）
７０…巻線
【図１】
2005243867.tif 000003
【図２】
2005243867.tif 000004
【図３】
2005243867.tif 000005
【図４】
2005243867.tif 000006
【図５】
2005243867.tif 000007
【図６】
2005243867.tif 000008
【図７】
2005243867.tif 000009